(57)【要約】【課題】便座に腰を掛ける際に便器の黒ずんだ汚れが下着や衣服に付着しにくいようにする便座及びそのカバーを提供すること。【解決手段】前部及びこれに連続形成される両サイド部に、下方に向って延びる垂下部２１、２２を設けてある。垂下部は、前部が５〜３５ｃｍの長さ、両サイド部が５〜３５ｃｍの長さに、それぞれ設定してある。便座に腰を掛けたときに衣服や下着が接する部位を覆い隠せるように、垂下部を形状設定している。【選択図】図４
2009297487.tif 000002
【特許請求の範囲】
【請求項１】
前部及びこれに連続形成される両サイド部に、下方に向って延びる垂下部を設けてあることを特徴とする便座。
【請求項２】
垂下部は、前部が５〜３５ｃｍの長さ、両サイド部が５〜３５ｃｍの長さに、それぞれ設定してあることを特徴とする請求項１記載の便座。
【請求項３】
便座に腰を掛けたときに衣服や下着が接する部位を覆い隠せるように、垂下部を形状設定していることを特徴とする請求項１又は２記載の便座。
【請求項４】
便座に取り付けられる便座カバーであって、便座の前部及びこれに連続形成される両サイド部に、下方に向って延びる垂れ幕部を設けてあることを特徴とする便座カバー。
【請求項５】
垂れ幕部は、前部が５〜３５ｃｍの長さ、両サイド部が５〜３５ｃｍの長さに、それぞれ設定してあることを特徴とする請求項４記載の便座カバー。
【請求項６】
便座に腰を掛けたときに衣服や下着が接する部位を覆い隠せるように、垂れ幕部を形状設定していることを特徴とする請求項４又は５記載の便座カバー。
【請求項７】
便座廻りに取り付けられる便座カバーに対して、後付けされる垂れ幕部であって、前記垂れ幕部の前部は５〜３５ｃｍの長さ、両サイド部が５〜３５ｃｍの長さに、それぞれ設定してあることを特徴とする便座カバー。
【発明の詳細な説明】
【技術分野】  この発明は、洋式便器、特に便座、及びそのカバーに関するものである。
【背景技術】  近年の便器は洋風形式であることが一般的であり、従来の日本式便器の如きしゃがみ込む形式ではなく、便器本体に腰を掛けて椅子に座る態様で排便をするようになっている。
ところで、図６や図７に示すように、上記便器本体１の便座２に臀部を載せ得るものとするため、通常は、便器本体１上には便座２が前方に倒された状態で載せ置かれ、男性が小便を行なう際にのみ便座２を排水貯蔵タンク５側に立て掛けるようにしている。なお、図６や図７に示す、符号３は便座カバー（便座カバーを使用しない場合もある）、符号４は蓋である。
ところが、男性が小便をする際、特に男児が小便をするような場合において、便座２を含む便器本体１の前側部やサイド部に小便を引っ掛けてしまい、その結果、その部分が菌の増殖等により黒ずんでしまう。この状態において便座２に腰を掛ける際、黒ずんだ汚れＤが下着に付着し、非常に不快な思いをするという問題がある。
【特許文献１】特開２００８−６０８７号公報
【発明の開示】
【発明が解決しようとする課題】  そこで、この発明では、便座に腰を掛ける際に便座黒ずんだ汚れが下着や衣服に付着しにくいようにする便座及びそのカバーを提供することを課題とする。
【課題を解決するための手段】（請求項１記載の発明）
この発明の便座は、前部及びこれに連続形成される両サイド部に、下方に向って延びる垂下部を設けてある。
（請求項２記載の発明）
この発明の便座は、上記請求項１記載の発明において、垂下部は、前部が５〜３５ｃｍの長さ、両サイド部が５〜３５ｃｍの長さに、それぞれ設定してある。
（請求項３記載の発明）
この発明の便座は、上記請求項１又は２記載の発明において、便座に腰を掛けたときに衣服や下着が接する部位を覆い隠せるように、垂下部を形状設定している。
（請求項１〜３記載の発明の効果）
男性が所謂小便をする際、特に男児が小便をするような場合、小便が便器内のみに落ちるのではなく、場合によっては便器の前部やサイド部にかかってしまうことがある。このような事態が生じた場合、小便がかかった部分は菌の増殖等により黒ずんでしまう。
このような状態において、便座を倒して当該便座に腰を掛けるときに、上記黒ずんだ汚れが衣服や下着に付着し、非常に不快な思いをすることがある。
しかしながら、この発明の便座を有した場合には、便座を倒すと、前部及びこれに連続形成される両サイド部に、下方に向って延びる垂下部（例えば前部が５〜３５ｃｍの長さ、両サイド部が５〜３５ｃｍの長さに、それぞれ設定）により前記黒ずんだ汚れはほとんどが覆われることになり、その結果、便座に腰を掛けたときにおいて、黒ずんだ汚れが衣服や下着に付着することが抑制される（又はなくなる）。
（請求項４記載の発明）
この発明は、便座に取り付けられる便座カバーであって、便座の前部及びこれに連続形成される両サイド部に、下方に向って延びる垂れ幕部を設けてある。
（請求項５記載の発明）
この発明は、上記請求項４記載の発明に関し、垂れ幕部は、前部が５〜３５ｃｍの長さ、両サイド部が５〜３５ｃｍの長さに、それぞれ設定してある。
（請求項６記載の発明）
この発明は、上記請求項４又は５記載の発明に関し、便座に腰を掛けたときに衣服や下着が接する部位を覆い隠せるように、垂れ幕部を形状設定している。
（請求項４〜６記載の発明の効果）
男性が所謂小便をする際、特に男児が小便をするような場合、小便が便器内のみに落ちるのではなく、場合によっては便器の前部やサイド部にかかってしまうことがある。このような事態が生じた場合、小便がかかった部分は菌の増殖等により黒ずんでしまう。
このような状態において、便座を倒して当該便座に腰を掛けるときに、黒ずんだ汚れが衣服や下着に付着し、非常に不快な思いをすることがある。
しかしながら、この発明の便座カバーを取り付けた便座を倒すと、前部及びこれに連続形成される両サイド部に、下方に向って延びる垂れ幕部（例えば前部が５〜３５ｃｍの長さ、両サイド部が５〜３５ｃｍの長さに、それぞれ設定）により前記黒ずんだ汚れはほとんど覆われることになり、その結果、便座に腰を掛けたときにおいて、黒ずんだ汚れが衣服や下着に付着するようなことがなくなる。
（請求項７記載の発明）
この発明は、便座廻りに取り付けられる便座カバーに対して、後付けされる垂れ幕部であって、前記垂れ幕部の前部は５〜３５ｃｍの長さ、両サイド部が５〜３５ｃｍの長さに、それぞれ設定してある。
（請求項７の発明の効果）
この発明においては、後付けされる垂れ幕部の存在により（請求項４〜６記載の発明の効果）と同様の効果を有する。
【発明の効果】  この発明の便座、及び便座カバーによると、便座上への座り心地がよく、便座にこしを掛ける際に黒ずんだ汚れが下着や衣服に付着しない。
【発明を実施するための最良の形態】  以下にこの発明における便座、及び便座カバーを実施するための最良の形態として実施例について詳しく説明する。
【実施例１】  図１はこの実施例の便座カバー３Ａ，３Ｂを取り付けた状態の洋式トイレＴの斜視図、図２は前記便座カバー３Ａ，３Ｂの平面図、図３はこの実施例の便座カバー３Ａ，３Ｂを取り付けた状態の洋式トイレＴの側面図を示している。
「この実施例の洋式トイレＴの基本的構成について」
この洋式トイレＴは、図１〜図３に示すように、床面に固定される便器本体１と、前記便器本体１の上部に載せ置かれる便座２と、前記便座２を開閉する蓋４と、便器本体１の後方部に取り付けられる排水貯蔵タンク５とから構成されている。
ここで、便座２及び蓋４は、図１や図３に示すように、便器本体１の後方部に設けられた横軸（図示せず）を支軸として、開状態（ＯＰ）及び閉状態（ＳＴ）にできるようになっている。
また、上記便座２は、図１や図２に示すように、前方向が開放された馬蹄形としてあり、これにより便座２のクッション性により臀部が便座２にフィットするようになっている。なお、便座２には便座カバー３Ａで覆うようにしてある。
「この洋式トイレＴに使用されている便座カバー３について」
便座２は、図１や図２に示す如く、前方側が開放する馬蹄形状に形成され他従来から存在するものであり、これに装着される便座カバー３Ａは、従来から存在しているものを用いた上で、少なくとも便座２の開放している前側部分に補助カバー３Ｃを、便器本体１の前部及び両サイド部には垂れ幕部３Ｂを、それぞれ着脱可能に取り付けるようにしてある。
すなわち、この実施例とした便座カバー３は、従来から使用している馬蹄形状の便座カバー３Ａに対して、便座２が前方側で開放する部分を上部から覆う便座カバー３Ｃ、及び前部とその周辺部（両サイド部）を覆うに垂れ幕部３Ｂを、着脱自在（面ファスナー６によるがその他の着脱部材も採用できる）に取り付け得るものとしてある。
なお、垂れ幕部３Ｂは、前部が５〜３５ｃｍの長さ、両サイド部が５〜３５ｃｍの長さに、それぞれ設定してあることが好ましく、更に垂下部３Ｂは、便座に腰を掛けたときに衣服や下着が接する部位を覆い隠せるように、垂下部を形状設定している。
「この実施例の便座カバー３を使用した場合の優れた効果について」
（１）この実施例の便座カバー３が取り付けられる便座２は、図１に示すように、前方側が開放する馬蹄形状の便座２に取り付けられるものであるから変形の自由度が高く、便座２が臀部の形状にフィットして変形するので、座り心地がよい。
（２）上述した如く、便座２は、前方側が開放する馬蹄形状であるので、その馬蹄形状に便座カバー３Ａが覆われる。次に便座カバー３Ａに対して、便座２が前方側で開放する部分を上部から覆う補助カバー３Ｃ及び両サイド部に設けられた垂れ幕部３Ｂを、着脱自在（面ファスナー６によるがその他の着脱部材も採用できる）に取り付ける。すると、便座２の前方側が開放する部分及びその周辺の部分は便座カバー３により隠れた状態となる。
ここで男性が小便をする場合、便座２を上げた状態にして行なうことになるが、この際、男性が小便をする際、特に男児が小便をするような場合において、便座２の前側の開放部分の下に位置する便器本体１上に小便を引っ掛けてしまい、その結果、その部分が菌の増殖等により黒ずんだ汚れＤとなってしまう。
次に、排便を行なうため便座２を倒した状態にすると、汚れＤは補助カバー３Ｃ及び垂れ幕部３Ｂにより覆われて隠れた状態となるので、便座２上に座ったときにおいても下着や衣服に汚れＤが付着することが起きにくくなる。
つまり、この便座カバー３によると、便座２上への座り心地がよく、便座上に腰を掛ける際に黒ずんだ汚れが下着や衣服に付着しない。
「実施例１の他の実施形態」
上記実施例では、便座カバー３Ａに対して、便座２が前方側で開放する部分を上部から覆う補助カバー３Ｃ、前部及び両サイド部に垂れ幕部３Ｂを、相互に着脱自在なものとしてあるが、これに限定されることなく、一体的なものとすることができる。
また、補助カバー３Ｃは、最低限、便座２が前方側で開放する部分を上部から覆うものとすることができる。
上記実施例１では、便座２は、前方側が開放する馬蹄形状のものとしてあるが、これに限定されることなく、前方側が開放していないもの（楕円形状のもの）でもよい。
【実施例２】  図４はこの実施例２の便座２を取り付けた状態の洋式トイレＴの側面図、図５は前記便座２を取り付けた状態の洋式トイレＴの側面図を示している。
「この実施例の洋式トイレＴの基本的構成について」
この実施例の洋式トイレＴの基本構成は、上記実施例１と同様であるが、相違する点は便座カバー３により本願発明の効果を奏するのではなく便座２により本願発明の効果を奏するものとしている。
上記便座２は、図４や図５に示すように、従来の便座部に相当する楕円形状の便座本体部２０、前部及びこれに連続形成される両サイド部において下方に向って延びる垂下部２１を設けてある。この垂下部Ｓは、前部が５〜３５ｃｍの長さ、両サイド部が５〜３５ｃｍの長さに、それぞれ設定してあり、便座２に腰を掛けたときに衣服や下着が接する部位を覆い隠せるように、図４や図５に示すように、垂下部２１を形状設定している。
「この実施例の優れた効果について」
男性が小便をする際、特に男児が小便をするような場合、小便が便器内のみに落ちるのではなく、場合によっては便器本体１の前部や両サイド部にかかってしまうことがある。このような事態が生じた場合、小便がかかった部分は菌の増殖等により黒ずんでしまう。
このような状態において、従来の便座に腰を掛けたときにおいて、黒ずんだ汚れＤが衣服や下着に付着し、非常に不快な思いをする。
しかしながら、この実施例の便座２を有した場合には、前部及びこれに連続形成される両サイド部に、下方に向って延びる垂下部２１を設けてある（前部が５〜３５ｃｍの長さ、両サイド部が５〜３５ｃｍの長さに設定）から小便がかかって黒ずんだ汚れＤは垂下部２１により覆われてしまうことになり、その結果、便座２に腰を掛けたときにおいて、黒ずんだ汚れＤが衣服や下着に付着するようなことがなくなる。
「その他」
その他、便座２に取り付けられる便座カバーに対して、後付けされる垂れ幕部であって、前記垂れ幕部の前部は５〜３５ｃｍの長さ、両サイド部が５〜３５ｃｍの長さに、それぞれ設定してあるものとすることができる。
また、便座２の開放している前側部分に、補助カバー３Ｃを着脱自在に取り付けるだけの形態を採用することもできる。
【図面の簡単な説明】
【図１】この実施例１の便座カバーを取り付けた状態の洋式トイレＴの斜視図。
【図２】前記便座カバーの平面図。
【図３】この実施例１の便座カバーを取り付けた状態の洋式トイレＴの側面図。
【図４】この実施例２の便座カバーを取り付けた状態の洋式トイレＴの側面図。
【図５】この実施例２の便座カバーを取り付けた状態の洋式トイレＴの斜視図。
【図６】従来の便座カバーを便座に取り付けた状態の斜視図。
【図７】従来の便座カバーを便座に取り付けた状態の側面図。
【符号の説明】
Ｔ        洋式トイレ
１        便器本体
２        便座
２０      便座本体部
２１      垂下部
３        便座カバー
３Ａ      便座カバー
３Ｂ      補助カバー
３Ｃ      垂れ幕部
４        蓋
５        排水貯蔵タンク
６        面ファスナー
【図１】
2009297487.tif 000003
【図２】
2009297487.tif 000004
【図３】
2009297487.tif 000005
【図４】
2009297487.tif 000006
【図５】
2009297487.tif 000007
【図６】
2009297487.tif 000008
【図７】
2009297487.tif 000009